(57)【特許請求の範囲】
【請求項１】
圧縮機と圧縮機を駆動する電動機とがハウジング内に収納された電動式圧縮機であって、ハウジングが電動機を収納する筒状のセンターハウジングと、センターハウジングの一端に嵌入固定されるリアハウジングとを有し、電動機固定子鉄心の軸方向の一端がセンターハウジングに形成された段部に当接し、他端がセンターハウジングの一端に嵌入したリアハウジングの一端に当接した状態で、当該固定子鉄心が前記段部と前記一端とにより挟持されてハウジングに固定されており、リアハウジングのセンターハウジングへの嵌入部の外周面とセンターハウジングの前記一端内周面との当接部に、リアハウジングのセンターハウジングへの嵌入長さが変動しても、リアハウジングのセンターハウジングへの嵌入部の外周面とセンターハウジングの前記一端内周面との当接部を確実にシールするように、Ｏリングが配設されていることを特徴とする電動式圧縮機。
【請求項２】
固定子鉄心に形成された爪又は切欠と、リアハウジングの前記一端に形成された切欠又は爪とが係合することにより固定子鉄心の回転止めがなされていることを特徴とする請求項１に記載の電動式圧縮機。
【請求項３】
固定子鉄心の軸方向の一端近傍の側面がセンターハウジングに形成された段部の側面に当接することにより、固定子鉄心の回転止めがなされていることを特徴とする請求項１又は２に記載の電動式圧縮機。
【請求項４】
固定子鉄心に形成された爪又は切欠と、リアハウジングの前記一端に形成された切欠又は爪とが係合することにより固定子鉄心の心出しがなされていることを特徴とする請求項１乃至３の何れか１項に記載の電動式圧縮機。
【請求項５】
固定子鉄心の軸方向の一端近傍の側面がセンターハウジングに形成された段部の側面に当接することにより、固定子鉄心の心出しがなされていることを特徴とする請求項１乃至４の何れか１項に記載の電動式圧縮機。
【請求項６】
固定子鉄心とリアハウジングの前記一端とを接続するピンにより固定子鉄心の回転止めと心出しとがなされていることを特徴とする請求項１乃至５の何れか１項に記載の電動式圧縮機。
【請求項７】
固定子鉄心外周面とセンターハウジング内周面との間に隙間が形成されていることを特徴とする請求項１乃至６の何れか１項に記載の電動式圧縮機。
【発明の詳細な説明】
【０００１】
【発明の属する技術分野】
本発明は、圧縮機と圧縮機を駆動する電動機とがハウジング内に収納された電動式圧縮機に関するものである。
【０００２】
【従来の技術】
特開平８−２３６４８号に、電動機の固定子鉄心の軸方向両端を挟む一対の止め輪と、一方の止め輪に当接するキーとにより、固定子鉄心をハウジングに固定した電動式圧縮機が開示されている。
【０００３】
【発明が解決しようとする課題】
特開平８−２３６４８号の電動式圧縮機には、多数の薄板を軸方向に積層して形成する固定子鉄心の軸方向長さの公差が大きいので、厚みの異なる複数のキーを予め準備しない限り、固定子鉄心を確実にハウジングに固定することができないという問題がある。
本発明は上記問題に鑑みてなされたものであり、特開平８−２３６４８号の電動式圧縮機よりも簡便に、固定子鉄心を確実にハウジングに固定することができる電動式圧縮機を提供することを目的とする。
【０００４】
【課題を解決するための手段】
上記課題を解決するために、本発明においては、圧縮機と圧縮機を駆動する電動機とがハウジング内に収納された電動式圧縮機であって、ハウジングが電動機を収納する筒状のセンターハウジングと、センターハウジングの一端に嵌入固定されるリアハウジングとを有し、電動機固定子鉄心の軸方向の一端がセンターハウジングに形成された段部に当接し、他端がセンターハウジングの一端に嵌入したリアハウジングの一端に当接した状態で、当該固定子鉄心が前記段部と前記一端とにより挟持されてハウジングに固定されており、リアハウジングのセンターハウジングへの嵌入部の外周面とセンターハウジングの前記一端内周面との当接部に、リアハウジングのセンターハウジングへの嵌入長さが変動しても、リアハウジングのセンターハウジングへの嵌入部の外周面とセンターハウジングの前記一端内周面との当接部を確実にシールするように、Ｏリングが配設されていることを特徴とする電動式圧縮機を提供する。
【０００５】
本発明に係る電動式圧縮機においては、センターハウジングに形成された段部と共働して固定子鉄心の軸方向両端を挟持し、固定子鉄心をハウジングに固定するリアハウジングが、センターハウジングに嵌入固定されるので、リアハウジングのセンターハウジングへの嵌入長さを調整することにより、固定子鉄心の軸方向長さの公差を容易に吸収することができる。従って、本発明に係る電動式圧縮機においては、特開平８−２３６４８号の電動式圧縮機よりも簡便に、固定子鉄心を確実にハウジングに固定することができる。
本発明に係る電動式圧縮機においては、リアハウジングのセンターハウジングへの嵌入長さが変動しても、Ｏリングにより、リアハウジングのセンターハウジングへの嵌入部の外周面と、センターハウジングの前記一端内周面との当接部が確実にシールされる。
【０００６】
本発明の好ましい態様においては、固定子鉄心に形成された爪又は切欠と、リアハウジングの前記一端に形成された切欠又は爪とが係合することにより固定子鉄心の回転止めがなされている。
本発明の好ましい態様においては、固定子鉄心の軸方向の一端近傍の側面がセンターハウジングに形成された段部の側面に当接することにより、固定子鉄心の回転止めがなされている。
固定子鉄心に形成された爪又は切欠と、リアハウジングの前記一端に形成された切欠又は爪とを係合させて、或いは固定子鉄心の軸方向の一端近傍の側面をセンターハウジングに形成された段部の側面に当接させて、簡便に固定子鉄心の回転を防止することができる。
【０００７】
本発明の好ましい態様においては、固定子鉄心に形成された爪又は切欠と、リアハウジングの前記一端に形成された切欠又は爪とが係合することにより固定子鉄心の心出しがなされている。
本発明の好ましい態様においては、固定子鉄心の軸方向の一端近傍の側面がセンターハウジングに形成された段部の側面に当接することにより、固定子鉄心の心出しがなされている。
固定子鉄心に形成された爪又は切欠と、リアハウジングの前記一端に形成された切欠又は爪とを係合させることにより、或いは固定子鉄心の軸方向の一端近傍の側面をセンターハウジングに形成された段部の側面に当接させることにより、簡便に固定子鉄心の心出しをすることができる。
【０００８】
本発明の好ましい態様においては、固定子鉄心とリアハウジングの前記一端とを接続するピンにより固定子鉄心の回転止めと心出しとがなされている。
固定子鉄心とリアハウジングの前記一端とをピンを用いて接続することにより、簡便に固定子鉄心の回転を防止し、固定子鉄心の心出をすることができる。
【０００９】
本発明の好ましい態様においては、固定子鉄心外周面とセンターハウジング内周面との間に隙間が形成されている。
固定子鉄心外周面とセンターハウジング内周面との間に隙間を形成することにより、圧縮機作動時に固定子に発生する振動の、ハウジングへの伝達が抑制され、圧縮機が静粛化される。
【００１０】
【発明の実施の形態】
本発明の実施例に係る電動式圧縮機を説明する。
図１に示すように、電動式圧縮機Ａは、回転子１ａと固定子１ｂと出力軸１ｃとを有する三相同期モータ、三相誘導モータ等の三相モータ１と、三相モータ１の出力軸により旋回駆動される可動スクロール２ａと可動スクロール２ａとかみ合って作動空間を形成する固定スクロール２ｂと可動スクロール２ａの回転防止機構２ｃとを有するスクロール式の圧縮部２とを備えている。固定子１ｂは、固定子鉄心１ｂ１と巻線１ｂ２とを有している。
スクロール式の圧縮部２は、底壁に吐出口３ａ１が形成された有底円筒状のフロントハウジング３ａ内に収納され、三相モータ１は、ボス３ｂ１が形成されると共に一端がフロントハウジング３ａの開放端にボルトを用いて接合固定された円筒状のセンターハウジング３ｂ内に収納されている。吸入口３ｃ１とボス３ｃ２とが形成された有底円筒状のリアハウジング３ｃが、開放端をセンターハウジング３ｂの他端に嵌入させた状態で、ボルトを用いてセンターハウジング３ｂに接合固定されている。フロントハウジング３ａと、センターハウジング３ｂと、リアハウジング３ｃとにより、ハウジング３が形成されている。
出力軸１ｃは、軸受けを介して、ボス３ｂ１、３ｃ２により回転可能に支持されている。
リアハウジング３ｃに、密封端子４が取り付けられている。密封端子４から延びる３本の配線が、三相モータ１の三相の入力端子に接続されている。
【００１１】
固定子鉄心１ｂ１の軸方向の一端が、センターハウジング３ｂに形成された段部３ｂ２に当接し、他端がセンターハウジング３ｂに嵌入したリアハウジング３ｃの開放端に当接した状態で、固定子鉄心１ｂ１が前記段部３ｂ２とリアハウジング３ｃの開放端とにより挟持されて、センターハウジング３ｂに固定されている。
図２に示すように、固定子鉄心１ｂ１の円弧状の外周に、周方向に互いに間隔を隔てて複数の平坦な切欠部１ｂ３が形成されている。リアハウジング３ｃの開放端に、平坦な切欠部１ｂ３に当接可能な平坦面３ｃ３を有する爪３ｃ４が形成されている。図１に示すように、平坦面３ｃ３を介して爪３ｃ４が平坦な切欠部１ｂ３に係合することにより、固定子鉄心１ｂ１の回転止めがなされている。
固定子鉄心１ｂ１の軸方向の一端近傍の側面がセンターハウジングの段部３ｂ２の側面３ｂ３に当接することにより、固定子鉄心１ｂ１の心出し（固定子鉄心１ｂ１の中心軸線の正規位置への位置決め）がなされている。
リアハウジング３ｃのセンターハウジング３ｂへの嵌入部の外周面と、センターハウジング３ｃの前記他端内周面との当接部が、Ｏリング５によりシールされている。
固定鉄心１ｂ１の平坦な切欠部１ｂ３とセンターハウジング３ｂ内周面との間に隙間６が形成されている。
【００１２】
電動式圧縮機Ａにおいては、図示しない電源から供給された電力により、三相モータ１が駆動され、三相モータ１により圧縮部２が駆動される。吸入口３ｃ１から流入したガスが、三相モータ１の構成部品や構成部品間に形成された流路を通って圧縮部２の作動空間へ取り込まれ、作動空間内で圧縮された後圧縮部２から吐出し、吐出口３ａ１から圧縮機外へ流出する。
【００１３】
電動式圧縮機Ａにおいては、センターハウジング３ｂに形成された段部３ｂ２と共働して固定子鉄心１ｂ１の軸方向両端を挟持し、固定子鉄心１ｂ１をハウジング３に固定するリアハウジング３ｃが、センターハウジング３ｂの他端に嵌入固定されるので、リアハウジングング３ｃのセンターハウジング３ｂへの嵌入長さを調整することにより、固定子鉄心１ｂ１の軸方向長さの公差を容易に吸収することができる。従って、電動式圧縮機Ａにおいては、特開平８−２３６４８号の電動式圧縮機よりも簡便に、固定子鉄心１ｂ１を確実にハウジング３に固定することができる。
【００１４】
電動式圧縮機Ａにおいては、リアハウジング３ｃのセンターハウジング３ｂへの嵌入長さが変動しても、Ｏリング５により、リアハウジング３ｃのセンターハウジング３ｂへの嵌入部の外周面と、センターハウジング３ｂの前記他端内周面との当接部が確実にシールされる。
【００１５】
電動式圧縮機Ａにおいては、平坦面３ｃ３を介して爪３ｃ４が平坦な切欠部１ｂ３に係合することにより、複雑な機構を要することなく簡便に固定子鉄心１ｂ１の回転止めがなされている。
【００１６】
電動式圧縮機Ａにおいては、固定子鉄心１ｂ１の軸方向の一端近傍の側面をセンターハウジングの段部３ｂ２の側面３ｂ３に当接させることにより、複雑な機構を要することなく簡便に固定子鉄心１ｂ１の心出しが行われている。
【００１７】
電動式圧縮機Ａにおいては、固定鉄心１ｂ１外周面とセンターハウジング３ｂ内周面との間に隙間６を形成することにより、圧縮機作動時に固定子１ｂに発生する振動の、センターハウジング３ｂへの伝達を抑制し、圧縮機を静粛化している。
【００１８】
電動式圧縮機Ａにおいて、固定子鉄心１ｂ１の軸方向の一端近傍側面の一部を平坦面とし、センターハウジングの段部３ｂ２の側面３ｂ３の一部を平坦面とし、両平坦面を互いに当接させて、固定子鉄心１ｂ１の回転止めを行っても良い。
【００１９】
図３に示すように、リアハウジング３ｃの開放端に、固定子鉄心１ｂ１の平坦な切欠部１ｂ３に当接可能な平坦面３ｃ３を有する爪３ｃ４と、固定子鉄心１ｂ１の平坦な切欠部１ｂ３に当接可能な平坦面３ｃ５を有する爪３ｃ６と、固定子鉄心１ｂ１の平坦な切欠部１ｂ３に当接可能な平坦面３ｃ７を有する爪３ｃ８とを、周方向に互いに間隔を隔てて形成し、平坦面３ｃ３、３ｃ５、３ｃ７を介して爪３ｃ４、３ｃ６、３ｃ８をそれぞれ平坦な切欠部１ｂ３に係合させて、複雑な機構を要することなく簡便に固定子鉄心１ｂ１の回転を防止すると共に、固定子鉄心１ｂ１の心出しをしても良い。
【００２０】
図４に示すように、固定子鉄心１ｂ１とリアハウジング３ｃとを、両者の向かい合う端面に形成した穴に嵌入可能なピン７を用いて、接続することにより、複雑な機構を要することなく簡便に固定子鉄心１ｂ１の回転を防止し、固定子鉄心１ｂ１の心出をしても良い。
【００２１】
図３の構成による固定子鉄心１ｂ１の心出しと、図１の構成による固定子鉄心１ｂ１の心出しとを重複させても良く、図４の構成による固定子鉄心１ｂ１の心出しと、図１の構成による固定子鉄心１ｂ１の心出しとを重複させても良い。
【００２２】
爪３ｃ４、３ｃ６、３ｃ８と同様の爪を固定子鉄心１ｂ１に形成し、切欠部１ｂ３と同様の平坦な切欠部をリアハウジング３ｃの開放端に形成し、前記爪と前記切欠部とを係合させて、固定子鉄心１ｂ１の回転を防止し或いは、固定子鉄心１ｂ１の回転を防止すると共に固定子鉄心１ｂ１を心出しても良い。
【００２３】
【発明の効果】
以上説明したごとく、本発明に係る電動式圧縮機においては、センターハウジングに形成された段部と共働して固定子鉄心の軸方向両端を挟持し、固定子鉄心をハウジングに固定するリアハウジングが、センターハウジングに嵌入固定されるので、リアハウジングのセンターハウジングへの嵌入長さを調整することにより、固定子鉄心の軸方向長さの公差を容易に吸収することができる。従って、本発明に係る電動式圧縮機においては、特開平８−２３６４８号の電動式圧縮機よりも簡便に、固定子鉄心を確実にハウジングに固定することができる。
本発明に係る電動式圧縮機においては、リアハウジングのセンターハウジングへの嵌入長さが変動しても、Ｏリングにより、リアハウジングのセンターハウジングへの嵌入部の外周面と、センターハウジングの前記一端内周面との当接部が確実にシールされる。
【図面の簡単な説明】
【図１】本発明の実施例に係る電動式圧縮機の断面図である。
【図２】図１の電動式圧縮機の電動機が有する固定子と、リアハウジングの斜視図である。
【図３】図２の固定子と、リアハウジングの変形例の斜視図である。
【図４】図２の固定子と、リアハウジングの変形例の斜視図である。
【符号の説明】
Ａ  電動式圧縮機
１  三相モータ
２  圧縮部
３  ハウジング
３ｂ  センターハウジング
３ｃ  リアハウジング
４  密封端子
５  Ｏリング
６  隙間
７  ピン
【図１】
0004018382.tif 000002
【図２】
0004018382.tif 000003
【図３】
0004018382.tif 000004
【図４】
0004018382.tif 000005